【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
内部の占有可能な空間の天井高さを定義する天井線を有する構造的な骨組建築物の下部デッキ構造と上部デッキ構造との間に設置するための内部パーティションシステムであって、
前記内部パーティションシステムは、
その下方縁部に沿って下部デッキ構造に接続するための第１のモジュールパーティションアセンブリと、
その上方縁部に沿って上部デッキ構造に接続するための第２のモジュールパーティションアセンブリと、
第２のモジュールパーティションアセンブリの下方縁部に、第１のモジュールパーティションアセンブリの上方縁部を接続するように構成された受容器構造を含み、
第１のモジュールパーティションアセンブリは、第１のモジュールパーティションアセンブリの上方縁部、第２のモジュールパーティションアセンブリの下方縁部、および、受容器構造が、構造的な骨組建築物内に第１のモジュールパーティションアセンブリ、第２のモジュールパーティションアセンブリ、および、受容器構造を設置後に天井線よりも上に位置づけられるように、天井高さを超える垂直寸法を有しており、
受容器構造は下部デッキ構造と上部デッキ構造の間の垂直偏向を調節するように構成され、
受容器構造は、第１のモジュールパーティションアセンブリの上方縁部を収容するように構成された下部受容器構造と、第２のモジュールパーティションアセンブリの下方縁部を収容するように構成された、下部受容器構造とは別の上部受容器構造を備え、下部受容器構造と上部受容器構造は共に固定されるように構成される、内部パーティションシステム。
【請求項２】
下部受容器構造は下部受容器構造の各々の側に複数の垂直な溝を備え、垂直な溝は、第１のモジュールパーティションアセンブリの固定された位置に対する下部受容器構造の調節可能な位置にしたがって、第１のモジュールパーティションアセンブリに下部受容器構造を固定するための締め具を収容するように構成される、ことを特徴とする請求項１に記載の内部パーティションシステム。
【請求項３】
受容器構造は受容器構造の一つの側にタブを備え、タブは壁被覆材料を支持するように構成される、ことを特徴とする請求項１に記載の内部パーティションシステム。
【請求項４】
第１のモジュールパーティションアセンブリは、一連の平行する垂直な間柱を備え、第２のモジュールパーティションアセンブリは一連の平行する垂直な間柱を備える、ことを特徴とする請求項１に記載の内部パーティションシステム。
【請求項５】
下部デッキ構造と上部デッキ構造の間の垂直な距離は、１１−２５フィートの範囲であり、天井線は７−１１フィートの範囲であり、第１のモジュールパーティションアセンブリの垂直寸法は、８−１２フィートの範囲であり、第２のモジュールパーティションアセンブリの垂直寸法は、３−１２フィートの範囲である、ことを特徴とする請求項１に記載の内部パーティションシステム。
【請求項６】
第１のモジュールパーティションアセンブリ、第２のモジュールパーティションアセンブリ、および、受容器構造は非耐力性である、ことを特徴とする請求項１に記載の内部パーティションシステム。
【請求項７】
第１のモジュールパーティションアセンブリ、第２のモジュールパーティションアセンブリ、および、受容器構造は耐火性を評価された内部パーティションを形成する、ことを特徴とする請求項１に記載の内部パーティションシステム。  
【請求項８】
第１のモジュールパーティションアセンブリは、第１のあらかじめ定められた格子パターンで下部デッキ構造の上面内に分布するデッキ取り付け要素を介して下部デッキ構造の上面に固定され、第２のモジュールパーティションアセンブリは、第２のあらかじめ定められた格子パターンで上部デッキ構造の底面内に分布するデッキ取り付け要素を介して上部デッキ構造の底面に固定される、ことを特徴とする請求項１に記載の内部パーティションシステム。
【請求項９】
占有可能な建築物であって、
前記建築物は、
占有可能な建築物の土地占有面積を定義する構造的な骨組、
構造的な骨組の土地専有面積内に位置づけられるとともに構造的な骨組によって支持される少なくとも１つの下部デッキ構造、
構造的な骨組の土地専有面積内に位置づけられるとともに構造的な骨組によって支持される少なくとも１つの上部デッキ構造、
天井を有する占有可能な空間を定義するために、下部デッキ構造と上部デッキ構造の間に設置された内部パーティションシステムを含み、
前記内部パーティションシステムは、
その下方縁部に沿って下部デッキ構造に固定される第１のモジュールパーティションアセンブリと、
その上方縁部に沿って上部デッキ構造に固定される第２のモジュールパーティションアセンブリと、
第２のモジュールパーティションアセンブリの下方縁部に、第１のモジュールパーティションアセンブリの上方縁部を接続する受容器構造を含み、
第１のモジュールパーティションアセンブリの上方縁部、第２のモジュールパーティションアセンブリの下方縁部、および、受容器構造は占有可能な空間の天井よりも上に位置づけられ、
第１のモジュールパーティションアセンブリは一連の平行する垂直な間柱を備え、第２のモジュールパーティションアセンブリは一連の平行する垂直な間柱を備え、
第１のモジュールパーティションアセンブリ、第２のモジュールパーティションアセンブリ、および、受容器構造は非耐力性である、
ことを特徴とする占有可能な建築物。
【請求項１０】
受容器構造は下部デッキ構造と上部デッキ構造の間の垂直偏向を調節するように構成される、ことを特徴とする請求項９に記載の占有可能な建築物。
【請求項１１】
受容器は受容器構造の各々の側に複数の垂直な溝を備え、垂直な溝は、第１のモジュールパーティションアセンブリの固定された位置に対する受容器構造の調節可能な垂直位置にしたがって、第１のモジュールパーティションアセンブリに受容器構造を固定するための締め具を収容するように構成される、ことを特徴とする請求項９に記載の占有可能な建築物。
【請求項１２】
第１のモジュールパーティションアセンブリ、第２のモジュールパーティションアセンブリ、および、受容器構造は耐火性の内部パーティションを形成する、ことを特徴とする請求項９に記載の占有可能な建築物。
【請求項１３】
下部デッキ構造と上部デッキ構造を有する構造的な骨組建築物に、専有可能な空間を構築するための方法であって、専有可能な空間は構造的な骨組建築物内部の専有可能な空間の天井高さを定義する天井線を有し、
前記方法は、
第１のモジュールパーティションアセンブリを、その下方縁部に沿って、下部デッキ構造に固定する工程と、
第２のモジュールパーティションアセンブリを、その上方縁部に沿って、上部デッキ構造に固定する工程と、
受容器構造を介して、第２のモジュールパーティションアセンブリの下方縁部に、第１のモジュールパーティションアセンブリの上方縁部を接続する工程であって、第１のモジュールパーティションアセンブリの上方縁部、第２のモジュールパーティションアセンブリの下方縁部、および、受容器構造は、専有可能な空間の天井線よりも上に位置付けられる、工程を含み、
受容器構造は下部デッキ構造と上部デッキ構造の間の垂直偏向を調節するように構成され、
第１のモジュールパーティションアセンブリは、一連の平行する垂直な間柱を備え、第２のモジュールパーティションアセンブリは一連の平行する垂直な間柱を備え、
第１のモジュールパーティションアセンブリ、第２のモジュールパーティションアセンブリ、および、受容器構造は非耐力性であり、
第１のモジュールパーティションアセンブリ、第２のモジュールパーティションアセンブリ、および、受容器構造は耐火性を評価された内部パーティションを形成する、ことを特徴とする方法。
【請求項１４】
受容器構造を介して、第２のモジュールパーティションアセンブリの下方縁部に、第１のモジュールパーティションアセンブリの上方縁部を接続する工程は、第１のモジュールパーティションアセンブリの上方縁部と第２のモジュールパーティションアセンブリの下方縁部との間の空隙を埋めるために受容器構造の高さを調節する工程を含む、ことを特徴とする請求項１３に記載の方法。
【請求項１５】
受容器構造を介して、第２のモジュールパーティションアセンブリの下方縁部に、第１のモジュールパーティションアセンブリの上方縁部を接続する工程は、第２のモジュールパーティションアセンブリの下方縁部に受容器構造を固定する工程をさらに含む、ことを特徴とする請求項１３に記載の方法。
【請求項１６】
受容器構造を介して、第２のモジュールパーティションアセンブリの下方縁部に、第１のモジュールパーティションアセンブリの上方縁部を接続する工程は、第１のモジュールパーティションアセンブリの上方縁部に受容器構造を固定する工程をさらに含む、ことを特徴とする請求項１３に記載の方法。
【請求項１７】
受容器構造を介して、第２のモジュールパーティションアセンブリの下方縁部に、第１のモジュールパーティションアセンブリの上方縁部を接続する工程は、第１のモジュールパーティションアセンブリの上方縁部と第２のモジュールパーティションアセンブリの下方縁部との間の空隙を埋めるために受容器構造を調節する工程を含む、ことを特徴とする請求項１３に記載の方法。
【請求項１８】
下部デッキ構造と上部デッキ構造の間の垂直な距離は、１１−２５フィートの範囲であり、天井線は７−１１フィートの範囲であり、第１のモジュールパーティションアセンブリの垂直寸法は、８−１２フィートの範囲であり、第２のモジュールパーティションアセンブリの垂直寸法は、３−１２フィートの範囲である、ことを特徴とする請求項１３に記載の方法。
【請求項１９】
第１のモジュールパーティションアセンブリは下部デッキ構造の上面に固定され、第２のモジュールパーティションアセンブリは上部デッキ構造の底面に固定される、ことを特徴とする請求項１３に記載の方法。
【請求項２０】
第１のモジュールパーティションアセンブリは、第１のあらかじめ定められた格子パターンで下部デッキ構造の上面内に分布する取り付け要素を介して下部デッキ構造の上面に固定され、第２のモジュールパーティションアセンブリは、第２のあらかじめ定められた格子パターンで上部デッキ構造の底面内に分布する取り付け要素を介して上部デッキ構造の底面に固定される、ことを特徴とする請求項１３に記載の方法。
【請求項２１】
内部の占有可能な空間の天井高さを定義する天井線を有する構造的な骨組建築物の下部デッキ構造と上部デッキ構造との間に設置するための内部パーティションシステムであって、
前記内部パーティションシステムは、
その下方縁部に沿って下部デッキ構造に接続するための第１のモジュールパーティションアセンブリと、
その上方縁部に沿って上部デッキ構造に接続するための第２のモジュールパーティションアセンブリと、
第２のモジュールパーティションアセンブリの下方縁部に、第１のモジュールパーティションアセンブリの上方縁部を接続するように構成された受容器構造を含み、
第１のモジュールパーティションアセンブリは、第１のモジュールパーティションアセンブリの上方縁部、第２のモジュールパーティションアセンブリの下方縁部、および、受容器構造が、構造的な骨組建築物内に第１のモジュールパーティションアセンブリ、第２のモジュールパーティションアセンブリ、および、受容器構造を設置後に天井線よりも上に位置づけられるように、天井高さを超える垂直寸法を有しており、
受容器構造は下部デッキ構造と上部デッキ構造の間の垂直偏向を調節するように構成され、
第１のモジュールパーティションアセンブリは、一連の平行する垂直な間柱を備え、第２のモジュールパーティションアセンブリは一連の平行する垂直な間柱を備え、
下部デッキ構造と上部デッキ構造の間の垂直な距離は、１１−２５フィートの範囲であり、天井線は７−１１フィートの範囲であり、第１のモジュールパーティションアセンブリの垂直寸法は、８−１２フィートの範囲であり、第２のモジュールパーティションアセンブリの垂直寸法は、３−１２フィートの範囲であり、
第１のモジュールパーティションアセンブリ、第２のモジュールパーティションアセンブリ、および、受容器構造は非耐力性である、内部パーティションシステム。
【請求項２２】
内部の占有可能な空間の天井高さを定義する天井線を有する構造的な骨組建築物の下部デッキ構造と上部デッキ構造との間に設置するための内部パーティションシステムであって、
前記内部パーティションシステムは、
その下方縁部に沿って下部デッキ構造に接続するための第１のモジュールパーティションアセンブリと、
その上方縁部に沿って上部デッキ構造に接続するための第２のモジュールパーティションアセンブリと、
第２のモジュールパーティションアセンブリの下方縁部に、第１のモジュールパーティションアセンブリの上方縁部を接続するように構成された受容器構造を含み、
第１のモジュールパーティションアセンブリは、第１のモジュールパーティションアセンブリの上方縁部、第２のモジュールパーティションアセンブリの下方縁部、および、受容器構造が、構造的な骨組建築物内に第１のモジュールパーティションアセンブリ、第２のモジュールパーティションアセンブリ、および、受容器構造を設置後に天井線よりも上に位置づけられるように、天井高さを超える垂直寸法を有しており、
受容器構造は下部デッキ構造と上部デッキ構造の間の垂直偏向を調節するように構成され、
受容器構造は、第１のモジュールパーティションアセンブリの上方縁部を収容するように構成された下部受容器構造と、第２のモジュールパーティションアセンブリの下方縁部を収容するように構成された、下部受容器構造とは別の上部受容器構造を備え、下部受容器構造と上部受容器構造は共に固定されるように構成され、
下部受容器構造は下部受容器構造の各々の側に複数の垂直な溝を備え、垂直な溝は、第１のモジュールパーティションアセンブリの固定された位置に対する下部受容器構造の調節可能な位置にしたがって、第１のモジュールパーティションアセンブリに下部受容器構造を固定するための締め具を収容するように構成され、
第１のモジュールパーティションアセンブリは、一連の平行する垂直な間柱を備え、第２のモジュールパーティションアセンブリは一連の平行する垂直な間柱を備え、
下部デッキ構造と上部デッキ構造の間の垂直な距離は、１１−２５フィートの範囲であり、天井線は７−１１フィートの範囲であり、第１のモジュールパーティションアセンブリの垂直寸法は、８−１２フィートの範囲であり、第２のモジュールパーティションアセンブリの垂直寸法は、３−１２フィートの範囲であり、
第１のモジュールパーティションアセンブリ、第２のモジュールパーティションアセンブリ、および、受容器構造は非耐力性であり、
第１のモジュールパーティションアセンブリ、第２のモジュールパーティションアセンブリ、および、受容器構造は耐火性を評価された内部パーティションを形成する、内部パーティションシステム。
【請求項２３】
第１のモジュールパーティションアセンブリと第２のモジュールパーティションアセンブリは垂直に重ならない、ことを特徴とする請求項１に記載の内部パーティションシステム。
【請求項２４】
第１のモジュールパーティションアセンブリの上方縁部は、第２のモジュールパーティションアセンブリの下方縁部に対して平行であり、かつ、その真下にある、ことを特徴とする請求項２３に記載の内部パーティションシステム。